(57)【要約】      （修正有）【課題】  情報資産や物品資産が保管や展示されているようなエリアで第三者の出入りを規制できないエリアに対する防犯が求められており、エリア内の人数が少なくなったことを検知、通報し、セキュリティ上の問題が発生しないようなシステムを提供する。【解決手段】  作業員が付ける名札１と、名札１の位置を検出する所在読取装置２と、所在読取装置２から作業員位置情報を受取る管理センタ装置３とからなり、対象エリア内にいる作業員数が所定の数より少ないことを検知し作業員に通報するシステムであって、名札１は、作業員毎の認証機能を有するとともに、無線移動機を備えており、所在読取装置２は、対象エリア内の名札の位置を検出する機能を有し、管理センタ装置３は、対象エリア内に位置する名札１の数をカウントし、対象エリア内の作業員の数が所定の数を満たしていないと判断すると名札１の無線移動機を介して作業員に通報する機能を有する。【選択図】        図１
2006295455.tif 000002
【特許請求の範囲】
【請求項１】
作業員が付ける名札と、前記名札の所在位置を検出する所在読取装置と、該所在読取装置から名札所在位置情報を受取る管理センタ装置とからなり、対象エリア内の作業員数が所定の数より少ないことを検知し通報するシステムであって、
前記名札は、作業員毎の認証機能を有するとともに、無線移動機を備えており、前記所在読取装置は、前記対象エリア内が所在位置である名札を検出する機能を有し、前記管理センタ装置は、前記対象エリア内に位置する名札の数をカウントし、前記対象エリア内の作業員の数が前記所定の数を満たしていないと判断すると名札の無線移動機を介して作業員に通報する機能を有することを特徴とする対象エリア不在検知システム。
【請求項２】
請求項１記載の対象エリア不在検知システムにおいて、
前記管理センタ装置は、前記対象エリア内の作業員の数が前記所定の数を満たしていないと判断したとき、前記名札の無線移動機を使用し、前記対象エリアに隣接するエリアにいる作業員に前記対象エリアに戻るよう通知することを特徴とする対象エリア不在検知システム。
【請求項３】
作業員毎の認証機能を有するとともに、無線移動機を備えており、該無線移動機を介して作業員の数が対象エリアに所定の数の作業員がいない旨の通報を受けることを特徴とする名札。
【請求項４】
作業員が付ける名札の位置を検出する所在読取装置から作業員位置情報を受取る管理センタ装置であって、
対象エリア内に位置する名札の数をカウントし、前記対象エリアに所定の数の作業員がいないと判断すると前記名札の無線移動機を介して作業員に対象エリアに所定の数の作業員がいない旨の通報する機能を有することを特徴とする管理センタ装置。
【発明の詳細な説明】
【技術分野】
【０００１】
本発明は、対象エリア不在検知通報システム及び名札と管理センタ装置であり、病院のナースステーションや量販店販売現場などの対象エリアにおいてナースや販売員などの作業員が不在になるのを防ぐシステムに関する。
【背景技術】
【０００２】
病院のナースステーションや量販店販売現場などでは、ナースや販売員などの作業員が不在になることを避けることが求められており、従来、対象エリアの最後の人は他の人を呼び戻してから、対象エリア外に出て行っていた。しかしながら、最後の人は、緊急な用事などが発生すると、他の人を呼び戻す時間を待てず、やむを得ず出て行く場合などが生じ、対象エリア内に誰も残らず、セキュリティ上の問題が発生する場合があった。
【０００３】
セキュリティを確保するため、カメラなどによる監視が一般的であるが、事態発生後の検証手段としての位置付けあるいは威嚇目的であり、事前対象が難しかった。また、管理区域に入ったことを当該者へ通知する無線システムは、特許文献１で提案されているが、エリア内の作業員が不在となるのを防ぐことはできない。
【特許文献１】特開平１１−２９６７６１号公報
【発明の開示】
【発明が解決しようとする課題】
【０００４】
本発明は、従来の問題を解決するものであり、情報資産や物品資産が保管や展示されているようなエリアで第三者の出入りを規制できないエリアに対する防犯が求められており、エリア内の人数が少なくなったことを検知し、エリア外の作業員に戻ってもらい、セキュリティ上の問題が発生しないようなシステムを提供することを目的とする。
【課題を解決するための手段】
【０００５】
本発明は、作業員が付ける名札と、前記名札の所在位置を検出する所在読取装置と、該所在読取装置から名札所在位置情報を受取る管理センタ装置とからなり、対象エリア内の作業員数が所定の数より少ないことを検知し通報するシステムであって、前記名札は、作業員毎の認証機能を有するとともに、無線移動機を備えており、前記所在読取装置は、前記対象エリア内が所在位置である名札を検出する機能を有し、前記管理センタ装置は、前記対象エリア内に位置する名札の数をカウントし、前記対象エリア内の作業員の数が前記所定の数を満たしていないと判断すると名札の無線移動機を介して作業員に通報する機能を有する対象エリア不在検知システムである。
【０００６】
また、本発明は、前記管理センタ装置は、前記対象エリア内の作業員の数が前記所定の数を満たしていないと判断したとき、前記名札の無線移動機を使用し、前記対象エリアに隣接するエリアにいる作業員に前記対象エリアに戻るよう通知する対象エリア不在検知システムである。
【０００７】
そして、本発明は、作業員毎の認証機能を有するとともに、無線移動機を備えており、該無線移動機を介して作業員の数が対象エリアに所定の数の作業員がいない旨の通報を受ける名札である。
【０００８】
更に、本発明は、作業員が付ける名札の位置を検出する所在読取装置から作業員位置情報を受取る管理センタ装置であって、対象エリア内に位置する名札の数をカウントし、前記対象エリアに所定の数の作業員がいないと判断すると前記名札の無線移動機を介して作業員に対象エリアに所定の数の作業員がいない旨の通報する機能を有する管理センタ装置である。
【発明の効果】
【０００９】
本発明によれば、エリア内の人数が少なくなったことを検知し、エリア外の作業員に戻ってもらい、セキュリティ上の問題が発生しないようにすることができる。
【発明を実施するための最良の形態】
【００１０】
本発明を実施するための最良の形態を説明する。
本発明の対象エリア不在検知通報システム及び名札と管理センタ装置の一実施例について、図面を用いて説明する。以下、実施例では、作業員をナース、対象エリアをナースステーションとして説明するが、本発明は、販売員と量販店販売現場などでも適用可能である。
【００１１】
実施例を説明する。本実施例のシステムは、図１に示すように、名札と、所在読取装置２、管理センタ装置とからなる。名札１、１ａ〜ｄは、ナース毎の個人を識別する認証機能を有するとともに、無線移動機を備えており、各ナースが付ける。無線移動機で通報を受取る際、ランプあるいは音声などの手段で通報を受取ることとも可能である。所在読取装置は、所在読取装置本体（無線固定基地局）２と無線基地局２ａ〜２ｅとからなり、無線基地局２ａ〜２ｅは、それぞれ近距離に存在する名札１ａ〜１ｄ（及びナース）の存在を検出し、所在読取装置本体２に検知した名札１ａ〜１ｄを通知する。無線基地局２ａ〜２ｅは、例えば天井に設置され、そして、狭い範囲、例えば数メートルの範囲をカバーしているため、無線基地局２ａ〜２ｅが検出する名札（及びナース）の所在位置を正確に知ることができる。例えば無線基地局２ａが検出する名札１ａ（及びナース）は、ナースステーション（対象エリア）にあることがわかり、同様に、無線基地局２ｂが検出する名札１ｂ（及びナース）は、ナースステーション（対象エリア）の隣接するエリアにあることがわかる。また、無線基地局２ｃ〜２ｅが検出する名札１ｃ〜１ｄ（及びナース）は、病室又は廊下などにあることがわかる。所在読取装置本体２は、無線基地局２ａ〜２ｅから通知された名札１ａ〜１ｄについて、名札検出位置情報を管理センタ装置３に送信する。
【００１２】
管理センタ装置３は、所在読取装置本体２から名札１ａ〜１ｄの名札検出位置情報を受け取り、名札１ａ〜１ｄ（及びナース）の所在位置を知り、ナースステーション（対象エリア）内にいるナースの数を把握することができる。ナースステーションに居るべきナースの数は、事前に設定されており、居るべき人員数、例えば１人、を割り込んだとき、管理センタ装置３は、ナースステーションがナース不在である旨の通報を、名札の無線移動機に通報する。通報する際、ナースステーションの近傍エリアにいるナースを把握していれば、近傍エリアにいるナースの名札１ｂの無線移動機のみに通報することも可能である。
【００１３】
実施例の対象エリア不在検知通報システムにおける不在検知通報処理の一例について、図２を用いて説明する。スタート（Ｓ２００）し、ナースが名札を装着する（Ｓ２０１）。所在読取装置は、ナースの位置検知する（Ｓ２０２）。管理センタ装置は、ナース全体の位置を把握する（Ｓ２０３）。特定エリア内に必要数のナースがいるか判断し（Ｓ２０４）、必要数いるときは安全と判断し（Ｓ２０５）、終了となる（Ｓ２１０）。ステップＳ２０４で、必要数いないと判断すると近隣エリアに居るナースを判定する（Ｓ２０６）。そして、ナースステーションに戻るよう通報し（Ｓ２０７）、近隣エリアのナースは通報を受領し（Ｓ２０８）、指定エリアへ戻り、安全確認し（Ｓ２０９）、終了（Ｓ２１０）となる。このようにして、不在検知通報処理をおこなうことができ、ナースステーションにおける必要なナースの数を確保することができる。
【図面の簡単な説明】
【００１４】
【図１】実施例の対象エリア不在検知通報システムの説明図。
【図２】実施例の対象エリア不在検知通報システムにおける不在検知通報処理の一例の説明図。
【符号の説明】
【００１５】
１、１ａ〜１ｄ  名札
２、２ａ〜２ｅ  無線基地局
３  管理センタ装置
【図１】
2006295455.tif 000003
【図２】
2006295455.tif 000004